(57)【要約】【課題】プッシュツマミのプッシュ操作時にロータリープッシュツマミが連動してプッシュ動作するロータリープッシュスイッチ装置を提供すること。【解決手段】プッシュおよびロータリー操作される円筒形状のロータリープッシュツマミ２１と、ロータリープッシュツマミ２１によってロータリー駆動されるロータリー駆動板２９と、ロータリープッシュツマミ２１内に配設され、プッシュ操作されるプッシュツマミ２０と、プッシュツマミ２０のプッシュ操作によって押圧されるプッシュ用ゴム接点２３とを備え、プッシュツマミ２０のプッシュ操作時にロータリープッシュツマミ２１が連動してプッシュ動作し、ロータリープッシュツマミ２１のロータリー操作時にプッシュツマミ２０が連動してロータリー動作しないようにした。【選択図】      図１
2004241317.tif 000002
【特許請求の範囲】
【請求項１】
プッシュおよびロータリー操作される円筒形状のロータリープッシュツマミと、前記ロータリープッシュツマミによってロータリー駆動されるロータリー式電気部品部と、プッシュ操作されるプッシュツマミと、前記プッシュツマミのプッシュ操作によって押圧されるプッシュスイッチ部とを備え、
前記ロータリープッシュツマミのプッシュ操作時に前記プッシュツマミが連動してプッシュ動作し、前記ロータリープッシュツマミのロータリー操作時に前記プッシュツマミが連動してロータリー動作しないようにしたことを特徴とするロータリープッシュスイッチ装置。
【請求項２】
請求項１の記載において、前記プッシュツマミは前記ロータリープッシュツマミの内円側に設けられていることを特徴とするロータリープッシュスイッチ装置。
【請求項３】
請求項１の記載において、前記ロータリー式電気部品部には前記ロータリープッシュツマミと結合し一体に動作するロータリーカムを備え、前記ロータリープッシュツマミには突起が設けられ、前記突起と前記ロータリーカムの間に前記プッシュツマミが挟み込まれて、前記ロータリープッシュツマミ又は前記プッシュツマミのプッシュ操作時に前記ロータリープッシュツマミと前記プッシュツマミとが同時にプッシュ操作され、前記ロータリープッシュツマミのロータリー操作時には前記プッシュツマミに対して前記ロータリープッシュツマミが自由に移動可能であることを特徴とするロータリープッシュスイッチ装置。
【請求項４】
請求項３の記載において、前記ロータリープッシュツマミの前記突起は環状に設けられていることを特徴とするロータリープッシュスイッチ装置。
【請求項５】
請求項１の記載において、前記プッシュスイッチ部には固定接点が設けられた基板を保持するためのホルダを備え、前記プッシュツマミは前記ホルダにフック止めされていることを特徴とするロータリープッシュスイッチ装置。
【請求項６】
請求項５の記載において、前記基板には前記プッシュツマミを照光するための光源が設けられていることを特徴とするロータリープッシュスイッチ装置。
【発明の詳細な説明】
【０００１】
【発明の属する技術分野】
本発明は、車載用エアコンシステムやナビゲーション装置等の入力に適用するのに好適で、特に意匠を中央に設けるときに最適なロータリープッシュスイッチ装置に関する。
【０００２】
【従来の技術】
従来の技術として、ロータリープッシュ動作可能なスイッチ装置としては多数ある。例えば、自動車にはオーディオシステムやエアコンシステム等に使用されるロータリスイッチや押釦スイッチ等の各種電気部品が搭載されており、これら電気部品は搭乗者が手動操作する操作つまみによって動作されるようになっている。このような車載用電気部品において、例えばオーディオシステムの音量調整と電源のオン／オフ動作を行うために、音量調整用のロータリスイッチの内側に電源のオン／オフ動作用の押釦スイッチを配置すると共に、ロータリスイッチを操作する回転つまみと押釦スイッチを操作するプッシュつまみとを同軸配置したロータリープッシュスイッチ装置が知られている。あるいはズーム機能付きのデジタルカメラに適用されるロータリープッシュスイッチ装置があり、例えば、公知文献１のようなものがあり、これを図４および図５に示す。
【０００３】
図４および図５に示すロータリープッシュスイッチ装置は、ズーム機能付きのデジタルカメラに適用される装置である。この装置は、金属板等からなる支持板１と、ポリエステルフィルム等の絶縁性のベース材に導電パターンが形成されているフレキシブル基板２と、第１の可動接点を兼ねるドーム状の第１のクリックばね３と、複数本のガイド突起４ａを有する合成樹脂製のガイド体４と、押圧突起５ａを有し前記ガイド突起４ａに案内されて昇降可能な合成樹脂製の駆動体５と、第２の可動接点を兼ねるドーム状の第２のクリックばね６と、金属製の摺動子７と、この摺動子７を取り付けた合成樹脂製の摺動子受け８と、天井部１０や筒状部１１を有する合成樹脂製の収納体９と、セルフリターン用のトーションばね１２と、合成樹脂製のキートップ１３と、摺動子受け８に一体化される合成樹脂製の回転操作体１４とによって主に構成されている。
【０００４】
このフレキシブル基板２は、その帯状部２ｃが、Ｓ字状に屈曲させた状態で組み込まれる。
【０００５】
第１の可動接点を兼ねるドーム状の第１のクリックばね３は、ステンレス製の板ばねで形成され、ドーム形状にフォーミングされている。このクリックばね３は、フレキシブル基板２の第１の固定接点（図示せず）形成領域上に載置され、外側の円環状の前記固定接点には常時接触し内側の円形状の前記固定接点には接離可能に対向している。そして、第１のクリックばね３と第１の固定接点とで第１の押圧スイッチ素子Ｓ１が構成されていて、このクリックばね３にやや大きな押圧操作力を加えることにより、反転したクリックばね３の中央部を、対向する円形状の前記固定接点に接触させて、内側と外側の前記固定接点どうしの導通が図れるようになっている。
【０００６】
第２の可動接点を兼ねるドーム状の第２のクリックばね６も、ステンレス製の板ばねで形成され、ドーム形状にフォーミングされているので、第１のクリックばね３よりも小さな押圧操作力で中央部を反転させることができる。この第２のクリックばね６は、フレキシブル基板２の帯状部２ｃの第２の固定接点（図示せず）形成領域上に載置され、外側の円環状の前記固定接点には常時接触し内側の円形状の前記固定接点には接離可能に対向している。そして、第２のクリックばね６と前記第２の固定接点とで第２の押圧スイッチ素子Ｓ２が構成されていて、このクリックばね６に比較的軽い押圧操作力を加えることにより、反転したクリックばね６の中央部を、対向する円形状の前記固定接点に接触させて、内側と外側の固定前記接点どうしの導通が図れるようになっている。
【０００７】
ガイド体４は、弾性変形可能な柱状の４本のガイド突起４ａと、各ガイド突起４ａの基端側を連結する枠状部４ｂと、この枠状部４ｂからガイド突起４ａとは逆向きに延びる３本の取付突起４ｃとを具備している。各ガイド突起４ａの先端側（自由端側）には、内方へ突出する爪部４ｄが設けられている。また、枠状部４ｂには、その一部を外方へＬ字状に突出させることにより、係合溝４ｅが設けられている。
【０００８】
駆動体５は、第１のクリックばね３を押し込むための押圧突起５ａと、この押圧突起５ａを中央部から突出させている平板状部５ｂと、この平板状部５ｂの外周部の４個所に形成されそれぞれにガイド突起４ａが遊挿される係合切欠き５ｃと、平板状部５ｂから側方へ突出するＬ字状のフック５ｄと、このフック５ｄとは逆側で平板状部５ｂから側方へ突出する小突起５ｅとを具備している。
【０００９】
収納体９は、中央部に開口１０ａを有して４個所に円弧状の長孔１０ｂを設けた天井部１０と、天井部１０の外周部から下方へ垂設された筒状部１１と、この筒状部１１の底面に６個所突設された等間隔な取付突起１１ａとを具備している。また、天井部１０上には、セルフリターン用のトーションばね１２を内側から位置規制する環状壁１０ｄと、トーションばね１２の端部にテーパ面１０ｅを衝止させるばね受け部１０ｆとが立設されていて、環状壁１０ｄとばね受け部１０ｆとの間にトーションばね１２が組み込まれる。
【００１０】
この収納体９の開口１０ａ内には、第２の押圧スイッチ素子Ｓ２を載置した駆動体５やガイド体４のガイド突起４ａが配置される。また、収納体９の筒状部１１の内側には、天井部１０に対向させた状態で摺動子受け８が配置され、この摺動子受け８の外周面が筒状部１１の内周面と摺接する。そして、収納体９の天井部１０上に配置させた回転操作体１４の４本の連結突起１４ｂをそれぞれ、長孔１０ｂに挿通し、さらに摺動子受け８の連結孔８ｂに挿通して、各連結突起１４ｂの先端部を摺動子受け８の底面に熱がしめすることにより、回転操作体１４と摺動子受け８とが一体化される。したがって、回転操作体１４の回転動作は、摺動子受け８の外周面に対し軸受面として機能する筒状部１１の内周面によって案内されることとなる。
【００１１】
回転操作体１４は、キートップ１３を配置させるための開口１４ａを中央部に有する。この回転操作体１４の底面には、等間隔な４個所に連結突起１４ｂが突設されていて、これらの連結突起１４ｂにより摺動子受け８との一体化がなされる。なお、キートップ１３は、回転操作体１４により回り止めされた状態で、内底面中央に突設された押圧突起１３ａが第２のクリックばね６上に搭載され、回転操作体１４の内壁部がキートップ１３の昇降動作を案内するようになっている。
【００１２】
このように構成されるロータリープッシュスイッチ装置の動作説明を行うにあたって、まずキートップ１３を介して押圧駆動される押圧スイッチ部の動作について説明し、次に回転操作体１４を介して回転駆動される回転式電気部品部の動作について説明する。
【００１３】
いま、操作者が手指でキートップ１３を押し込んでいくと、まず所定量押し込んだ時点で、キートップ１３の押圧突起１３ａが作動力の小なる第２のクリックばね６を反転動作させるので、第２の押圧スイッチ素子Ｓ２がオフからオン状態へと切り替わる。そして、キートップ１３をさらに押し込んでいくと、第２の押圧スイッチ素子Ｓ２をオン状態に保ったまま駆動体５が下降していくので、この駆動体５の押圧突起５ａが作動力の大なる第１のクリックばね３を反転動作させて、第１の押圧スイッチ素子Ｓ１がオフからオン状態へと切り替わる。したがって、操作者は、キートップ１３を軽く押し込んでいるときにクリック感触が生起されれば第２の押圧スイッチ素子Ｓ２がオンしたことを感得でき、キートップ１３を強く押し込んでいるときにクリック感触が生起されれば第１の押圧スイッチ素子Ｓ１がオンしたことを感得できる。具体的には、本実施形態例の場合、第２の押圧スイッチ素子Ｓ２がオンするとデジタルカメラの焦点合わせが行われ、第１の押圧スイッチ素子Ｓ１がオンするとシャッター操作が行われるようになっている。
【００１４】
また、操作者が回転操作体１４を回転させると、摺動子７が一体的に回転してフレキシブル基板２に形成された摺動パターン（抵抗パターンと集電パターン）上を摺動するので、回転移動した摺動子７の位置に応じた抵抗値が出力されることとなる。すなわち、回転操作体１４の回転量に応じて異なる抵抗値を出力させることができ、本実施形態例の場合、回転操作体１４の回転操作によりデジタルカメラのズーミングが行われるようになっている。
【００１５】
【特許文献１】
特開２００１−３５７７５８号公報（明細書の段落番号００１１〜００２９、図２および図３）
【００１６】
【発明が解決しようとする課題】
ところで、従来のロータリープッシュスイッチ装置では、センターロゴ（意匠）のあるセンターツマミは回転させないようにしてあり、そのため、中心位置のツマミ（キートップ１３）はプッシュ機能のみでロータリー機能は外側ツマミ（回転操作体１４）のみであるので、ロータリー操作からプッシュ操作を連続して行う場合に、外側ツマミがプッシュ操作を行いにくくして、操作性に問題があった。
【００１７】
本発明は、このような従来技術の実情に鑑みてなされたもので、その目的は、プッシュツマミのプッシュ操作時にロータリープッシュツマミが連動してプッシュ動作するロータリープッシュスイッチ装置を提供することにある。
【００１８】
【課題を解決するための手段】
上記の目的を達成するために、本発明によるロータリープッシュスイッチ装置では、プッシュおよびロータリー操作される円筒形状のロータリープッシュツマミと、前記ロータリープッシュツマミによってロータリー駆動されるロータリー式電気部品部と、プッシュ操作されるプッシュツマミと、前記プッシュツマミのプッシュ操作によって押圧されるプッシュスイッチ部とを備え、前記ロータリープッシュツマミのプッシュ操作時に前記プッシュツマミが連動してプッシュ動作し、前記ロータリープッシュツマミのロータリー操作時に前記プッシュツマミが連動してロータリー動作しないように構成した。
【００１９】
このように構成すると、ロータリー操作時、センターロゴのあるプッシュツマミは回転せず、外周のロータリープッシュツマミのみロータリー動作し、プッシュ操作時は、プッシュツマミおよびロータリープッシュツマミが一体化して同時にプッシュ動作できる。
【００２０】
上記の構成において、前記プッシュツマミは前記ロータリープッシュツマミの内円側に設けられていることが好ましい。
【００２１】
また、上記の構成において、前記ロータリー式電気部品部には前記ロータリープッシュツマミと結合し一体に動作するロータリーカムを備え、前記ロータリープッシュツマミには突起が設けられ、前記突起と前記ロータリーカムの間に前記プッシュツマミが挟み込まれて、前記ロータリープッシュツマミ又は前記プッシュツマミのプッシュ操作時に前記ロータリープッシュツマミと前記プッシュツマミとが同時にプッシュ操作され、前記ロータリープッシュツマミのロータリー操作時には前記プッシュツマミに対して前記ロータリープッシュツマミが自由に移動可能であることが好ましい。
【００２２】
また、上記の構成において、前記ロータリープッシュツマミの前記突起は環状に設けられていることが好ましい。
【００２３】
また、上記の構成において、前記プッシュスイッチ部には固定接点が設けられた基板を保持するためのホルダを備え、前記プッシュツマミは前記ホルダにフック止めされていることが好ましい。
【００２４】
また、上記の構成において、前記基板には前記プッシュツマミを照光するための光源が設けられていることが好ましい。
【００２５】
【発明の実施の形態】
発明の実施の形態について図面を参照して説明すると、図１は本発明の実施形態例に係るロータリープッシュスイッチ装置の縦断面図、図２は図１のロータリープッシュスイッチ装置のプッシュ操作時の縦断面図、図３は図１のロータリープッシュスイッチ装置の分解斜視図である。
【００２６】
これらの図に示すように、本実施形態例に係るロータリープッシュスイッチ装置は、プッシュツマミ２０と、内側にプッシュツマミ２０を設けるための開口部２１ａを持ち、プッシュ操作も行うロータリープッシュツマミ２１と、プッシュツマミ２０のプッシュ操作を受けて接点に伝達するためのプッシュリング２２と、プッシュリング２２により押圧されるプッシュ用ゴム接点２３と、プッシュ用ゴム接点２３と対をなしてプッシュスイッチを構成するプッシュ用基板２４と、ロータリー操作時にクリック感を与えるための硬球２５とばね２６を保持するための硬球ホルダ２７と、ロータリープッシュツマミ２１と連動して動作し、硬球２５と対をなしてクリック感を創出するカム２８ｃとを備えるロータリーカム２８と、ロータリー操作を検出するためのロータリー駆動板２９と、ロータリー駆動板２９と対となりロータリー操作を検出するセンサー基板３０と、硬球用ホルダ２７と駆動板２９とセンサー基板３０を保持するために軸３１と、これら全てを支えるための支持板３２と、ロータリー操作とプッシュ操作の出力信号を取りまとめるためのメイン基板３３と、支持板３２とメイン基板３３を保持する上下ケース３４，３５とからなっている。
【００２７】
プッシュツマミ２０は、下面が開口され上面が塞がれた円筒形状に形成された合成樹脂製であり、このプッシュツマミ２０はロータリープッシュツマミ２１の開口部２１ａ内に配設されている。プッシュツマミ２０にはその外周上端部に凹溝状の環状係合部２０ａが形成され、ロータリープッシュツマミ２１が係合されている。また、プッシュツマミ２０には、係合部２０ｂが４か所形成され、硬球用ホルダ２７に設けられた突起２７ｇとフック結合して一体化されている。
【００２８】
プッシュリング２２はプッシュツマミ２０のプッシュ操作を受けてプッシュ用ゴム接点２３に伝達するもので、図３に示すように、プッシュリング２２は、リング部２２ａと、リング部２２ａの外周面に突出された４個の突起２２ｂと、リング部２２ａの内周面から中央に向かって延設された４個の接点押圧片２２ｃとからなっている。
【００２９】
プッシュ用ゴム接点２３は４個のプッシュ用ゴム接点２３が一体成形されており、プッシュ用ゴム接点２３と対をなしてプッシュスイッチを構成するプッシュ用基板２４に被せて取り付けられている。
【００３０】
プッシュ用基板２４には、照光用ＬＥＤ２４ａが備えられていてプッシュツマミ２０の照光を行うことができる。また、プッシュ用基板２４は四角形状に形成され、各プッシュ用ゴム接点２３と接続する固定接点部（図示せず）が形成されている。また、プッシュ用基板２４には図示していないが位置決め固定用の孔が穿設されて、該孔に、硬球用ホルダ２７に突設された位置決め固定用突起を嵌合してプッシュ用基板２４を硬球用ホルダ２７の上面に固定する。
【００３１】
硬球用ホルダ２７は、図３に示すように、上下が開口された円筒形状に形成され、上部の筒部２７ａには、その上端から切欠き部２７ｂが四か所形成され、各切欠き部２７ｂにプッシュリング２２の突起２２ｂが嵌入されるようになっている。これにより、プッシュリング２２は、硬球用ホルダ２７の切欠き部２７ｂに沿って移動可能であるが、プッシュリング２２のリング部２２ａの周方向へは移動を規制されている。この上部の筒部２７ａ内はプッシュ用ゴム接点２３およびプッシュ用基板２４の収納部となっている。また、硬球ホルダ２７の下部は外周径が上部より小さく設定されて上部との境目に段部２７ｃが設けられ、また、ロータリー操作時にクリック感を与えるための硬球２５とばね２６を収納保持する収納穴２７ｄが２個直径上に設けられ、各硬球２５はばね２６によってそれぞれ外方向へ付勢されている。また、硬球ホルダ２７の下部側には、上部と連通している軸受部２７ｅが穿設され、軸受部２７ｅが軸３１に嵌入されて硬球用ホルダ２７は固定されている。このことにより一体化されているプッシュツマミ２０の回り止めがされることとなる。また、上部の円筒部２７ａ内の収納部の底面には、位置決め固定用突起２７ｆが４個突設されている。また、上部の筒部２７ａには、突起２７ｇが四ヵ所形成され、各突起２７ｇにプッシュツマミ２０の係合部２０ｂがフック結合されるようになっている。
【００３２】
ロータリープッシュツマミ２１は合成樹脂で成形されており、このロータリープッシュツマミ２１は円筒状の開口部２１ａを有する中空形状に形成されている。ロータリープッシュツマミ２１の開口部２１ａの上端縁部は環状突起２１ｂが成形され、また、開口部２１ａの下端部からスナップ爪２１ｃが下方に設けられている。環状突起２１ｂはプッシュツマミ２０の環状係合部２０ａに係合され、一方、スナップ爪２１ｃは、ロータリーカム２８の上端外面に形成された係合部２８ａの下面に係合している。これにより、ロータリープッシュツマミ２１はスナップ爪２１ｃを係合部２８ａにスナップ止めすることによりロータリーカム２８に一体化され、一方、プッシュツマミ２０はその外周部が、ロータリーカム２８の支持部２８ｅとロータリープッシュツマミ２１の環状突起２１ｂとでプッシュツマミ２０とロータリープッシュツマミ２１とはプッシュ方向へは一体化されているが、ロータリープッシュツマミ２１はプッシュツマミ２０に対してロータリー方向へは自由に移動できるように挟み込んである。したがって、プッシュツマミ２０に対してロータリープッシュツマミ２１は、プッシュツマミ２０のプッシュ操作方向へは一体に移動することになり、ロータリープッシュツマミ２１をロータリー操作したときはロータリープッシュツマミ２１およびロータリーカム２８は一体にロータリー動作するが、プッシュツマミ２０は硬球ホルダ２７の突起２７ｇとのフック結合によって回り止めされているので、ロータリー動作しない。
【００３３】
ロータリーカム２８は全体に円筒形状で、上部の円筒部の上端外面には、スナップ爪２１ｃを係合される係合部２８ａが外周下端から凹部２８ｂを４か所設けられて構成されている。したがって、ロータリーカム２８はスナップ爪２１ｃによってロータリープッシュツマミ２１と連動して動作するようになっている。また、上部円筒部の内周面には、硬球２５と対をなしてクリック感を創出するカム２８ｃが設けられている。また、下部の円筒部内には軸受部２８ｄが設けられ、この軸受部２８ｄが軸３１に挿入され、軸受部２８ｄは軸３１の軸方向および周方向に移動可能になっている。また、ロータリーカム２８には、ロータリープッシュツマミ２１の環状突起２１ｂとともにプッシュツマミ２０とロータリープッシュツマミ２１とをプッシュ方向へ一体化させる支持部２８ｅが設けられている。
【００３４】
軸３１の小径部３１ａに硬球用ホルダ２７の軸受部２７ｅが嵌め込まれて固定され、中径部３１ｂにロータリーカム２８の軸受部２８ｄが遊嵌されて軸方向および周方向に移動自在にされ、さらに、軸３１には駆動板２９とセンサー基板３０が保持されている。また、軸３１は中空部３１ｃが設けられ、この中空部３１ｃ内を接続線３６が引き回され、各接続線３６は各コネクタ３７に接続されている。駆動板２９とロータリーカム２８との間には付勢コイルばね３８が圧縮して介在されている。軸３１の下端は支持板３２に固定され、支持板３２は下ケース３５に取付固定されている。
【００３５】
プッシュ用基板２４からの信号は、軸３１の中に接続線３６を通すことでメイン基板３３に伝達される。センサー基板３０からの信号も同様に軸３１の中を通してメイン基板３３に伝達される。また、ＬＥＤ２４ａへの信号もプッシュスイッチと同様に軸３１の中を通して信号を供給する。
【００３６】
ロータリー駆動板２９とロータリーカム２８の間には、付勢コイルばね３８が設けられており、付勢コイルばね３８によってロータリーカム２８が上方に付勢され、軸３１に固定された硬球用ホルダ２７に押しつけられている。
【００３７】
下ケース３５の下面にはカバー３９が取り付けられいる。
【００３８】
このように構成されたロータリープッシュスイッチ装置の動作について説明する。
【００３９】
図１の非操作状態であり、まず、各部材の関連構成を説明すると、軸３１および硬球ホルダ２７は固定されており、これらに固定されている部材、例えば、プッシュ用基板２４等も固定されている。ロータリープッシュツマミ２１およびロータリーカム２８はスナップ爪２１ｃで一体化されており、軸受部２８ｄが軸３１によって回転自在に支持されている。また、軸受部２８ｄは軸３１の軸方向（図で上下方向、すなわちプッシュ操作）にも移動可能に支持されており、ロータリープッシュツマミ２１およびロータリーカム２８を図で下方向にプッシュ操作すると、ロータリープッシュツマミ２１の環状突起２１ｂに係合してプッシュツマミ２０も一体に下方向にプッシュ操作する。
【００４０】
このように図１の状態から、操作者がロータリープッシュツマミ２１を摘んでロータリー操作すると、ロータリープッシュツマミ２１と一体にロータリーカム２８が回転する。ロータリーカム２８が回転すると、ばね２６によってカム２８ｃに押圧された硬球２５によりクリック感を創出するとともにカム２８ｃの凹部にて節度される。このロータリーカム２８の回転により、ロータリー駆動板２９が回転してセンサー基板３０によりロータリー操作を検出し、回転方向と回転量に応じたパルス信号が出力される。この出力信号に基づいて所望の機器の調整を行うことができる。上述のようにロータリープッシュツマミ２１のロータリー操作時に、プッシュツマミ２０は上述したように回り止めされており、ロータリー動作しない。
【００４１】
また、操作者がプッシュツマミ２０あるいはロータリープッシュツマミ２１を手指でプッシュ操作すると、プッシュツマミ２０およびロータリープッシュツマミ２１は一体に図の下方へと動作される。この際、付勢コイルばね３８に抗してロータリーカム２８も下降する。また、プッシュツマミ２０が下降すると、突起２２ｂを介してプッシュリング２２が下降し、接点押圧片２２ｃがプッシュ用ゴム接点２３を押し込んでプッシュスイッチから切換信号が出力される。この出力信号に基づいて所望の機器の電源をオンまたはオフにすること等ができる。このプッシュ操作後の状態を図２に示す。なお、４個の接点押圧片２２ｃによりプッシュ用ゴム接点２３により構成される４個のプッシュスイッチをプッシュ操作するようにしているのは、プッシュツマミ２０の周縁を押した時等のプッシュ操作が不確実にならないようにしている。一方、プッシュ操作をやめると、付勢コイルばね３８の蓄勢力によってロータリーカム２８が図の上方へ移動し、ロータリープッシュツマミ２１およびプッシュツマミ２０も上方へ移動して、図１の状態に復帰する。
【００４２】
このように構成したことにより、プッシュおよびロータリー操作される円筒形状のロータリープッシュツマミ２１と、ロータリープッシュツマミ２１によってロータリー駆動されるロータリー駆動板２９と、ロータリープッシュツマミ２１内に配設され、プッシュ操作されるプッシュツマミ２０と、プッシュツマミ２０のプッシュ操作によって押圧されるプッシュ用ゴム接点２３とを備え、ロータリープッシュツマミ２１のプッシュ操作時にプッシュツマミ２０が連動してプッシュ動作し、ロータリープッシュツマミ２１のロータリー操作時にプッシュツマミ２０が連動してロータリー動作しないようにしたため、ロータリープッシュツマミ２１のロータリー操作時にプッシュツマミ２０が連動してロータリー動作しないことから、例えば、プッシュツマミ２０に設けた意匠（ロゴなど）が回転せずに上下逆になるということは無いので、商品性を向上させることができる。また、ロータリープッシュツマミ２１もプッシュ操作できるので、プッシュ操作の際、ロータリープッシュツマミ２１が妨げになることは無くプッシュ操作の操作性が良好になる。
【００４３】
【発明の効果】
本発明は、以上説明したような形態で実施され、以下に記載されるような効果を奏する。
【００４４】
ロータリープッシュツマミのロータリー操作時にプッシュツマミが連動してロータリー動作しないことから、例えば、プッシュツマミに設けた意匠（ロゴなど）が回転せずに上下逆になるということは無いので、商品性を向上させることができる。また、ロータリープッシュツマミもプッシュ操作されるので、プッシュ操作の際、ロータリープッシュツマミが妨げになることは無くプッシュ操作の操作性が良好になる。
【図面の簡単な説明】
【図１】本発明の実施形態例に係るロータリープッシュスイッチ装置の縦断面図である。
【図２】図１のロータリープッシュスイッチ装置のプッシュ操作時の縦断面図である。
【図３】図１のロータリープッシュスイッチ装置の分解斜視図である。
【図４】従来のロータリープッシュスイッチ装置の縦断面図である。
【図５】従来のロータリープッシュスイッチ装置を平面視したときの対角線に沿った断面図である。
【符号の説明】
２０  プッシュツマミ
２０ａ  環状係合部
２１  ロータリープッシュツマミ
２１ａ  開口部
２１ｂ  環状突起
２２  プッシュリング
２３  プッシュ用ゴム接点
２８  ロータリーカム
２９  ロータリー駆動板
３０  センサー基板
３１  軸
３２  支持板
【図１】
2004241317.tif 000003
【図２】
2004241317.tif 000004
【図３】
2004241317.tif 000005
【図４】
2004241317.tif 000006
【図５】
2004241317.tif 000007